(57)【要約】【課題】特別な外部記憶装置等が不要で、画像品質を維持したまま画像データを大量かつ安全に保存でき、通信時間及び費用を削減可能な画像データ記憶システムを提供する。【解決手段】携帯端末装置１と、携帯端末装置から受信した画像を記憶するサーバ装置２とで構成され、サーバ装置は、携帯端末装置に複数の基本画像及び複数の基本画像を特定するデータからなる基本画像データ群を送信し、携帯端末装置は、基本画像データ群を記憶し、携帯端末装置に保存された画像と複数の基本画像とを差分して差分画像を生成し、差分画像の中から最もデータ量の小さい最小差分画像と、最小差分画像を生成する際に用いられた基本画像を特定するデータとを検出し、最小差分画像及び基本画像を特定するデータとをサーバ装置に送信し、サーバ装置は、最小差分画像及び最小差分画像生成時に用いられた基本画像を特定するデータを記憶する。【選択図】図１
2007274259.tif 000002
【特許請求の範囲】
【請求項１】
携帯端末装置と、該携帯端末装置から受信した画像を記憶するサーバ装置とで構成される画像データ記憶システムであって、
前記サーバ装置は、前記携帯端末装置に複数の基本画像及び該複数の基本画像を特定するデータからなる基本画像データ群を送信し、
前記携帯端末装置は、該基本画像データ群を記憶し、該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信し、
該サーバ装置は、該最小差分画像及び該最小差分画像を生成する際に用いられた基本画像を特定するデータを記憶することを特徴とする画像データ記憶システム。
【請求項２】
前記サーバ装置は、記憶した前記最小差分画像及び該最小差分画像を生成する際に用いられた基本画像を特定するデータを前記携帯端末装置に送信し、
該携帯端末装置は、前記サーバ装置から受信した最小差分画像と、前記基本画像を特定するデータを特定するデータに対応する基本画像とを合成して合成画像を生成し、該合成画像を表示することを特徴とする請求項１に記載の画像データ記憶システム。
【請求項３】
前記携帯端末装置以外の携帯端末装置であって、前記サーバ装置と通信可能な携帯端末装置においても、前記サーバ装置から受信した前記最小差分画像及び前記基本画像を特定するデータに対応する基本画像から合成画像を生成し、該合成画像を表示可能であることを特徴する請求項１又は２に記載の画像データ記憶システム。
【請求項４】
携帯端末装置から受信した画像を記憶するサーバ装置であって、
前記携帯端末装置に複数の基本画像及び該複数の基本画像を特定するデータからなる基本画像データ群を送信し、
前記携帯端末装置において検出した、該携帯端末装置に保存された画像と前記複数の基本画像とを差分して差分画像を生成した際に最もデータ量の小さい最小差分画像と、該最小差分画像を生成する際に用いられた基本画像を特定するデータとを受信し、
該最小差分画像及び該最小差分画像を生成する際に用いられた基本画像を特定するデータを記憶することを特徴とするサーバ装置。
【請求項５】
前記携帯端末装置において検出した、該携帯端末装置に保存された画像と前記複数の基本画像とを差分して差分画像から新たに基本画像を生成することを特徴とする請求項４に記載のサーバ装置。
【請求項６】
前記携帯端末装置の各々に異なる基本画像を含む基本画像データ群を送信することを特徴とする請求項４又は５に記載のサーバ装置。
【請求項７】
複数の携帯端末間で、前記最小差分画像を前記サーバ装置から送受信する場合における前記複数の携帯端末間毎のＩＤ、パスワード、及びアドレスを管理することを特徴とする請求項４、５又は６に記載のサーバ装置。
【請求項８】
サーバ装置から送信された複数の基本画像及び該複数の基本画像を特定するデータからなる基本画像データ群を記憶し、
該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信することを特徴とする携帯端末装置。
【請求項９】
前記サーバ装置から受信した最小差分画像及び該最小差分画像を生成する際に用いられた基本画像を特定するデータとに基づいて、前記最小差分画像と、前記データによって特定される基本画像とを合成して合成画像を生成し、該合成画像を表示することを特徴とする携帯端末装置。
【請求項１０】
携帯端末装置から受信した画像を記憶するサーバ装置を制御するためのプログラムであって、
前記携帯端末装置に複数の基本画像及び該複数の基本画像を特定するデータからなる基本画像データ群を送信するステップと、
前記携帯端末装置において検出した、該携帯端末装置に保存された画像と前記複数の基本画像とを差分して差分画像を生成した際に最もデータ量の小さい最小差分画像と、該最小差分画像を生成する際に用いられた基本画像を特定するデータとを受信するステップと、
該最小差分画像及び該最小差分画像を生成する際に用いられた基本画像を特定するデータを記憶するステップとを備えることを特徴とするサーバ装置制御プログラム。
【請求項１１】
携帯端末装置を制御するためのプログラムであって、
サーバ装置から送信された複数の基本画像及び該複数の基本画像を特定するデータからなる基本画像データ群を記憶するステップと、
該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信するステップとを備えることを特徴とする携帯端末装置制御プログラム。
【発明の詳細な説明】
【技術分野】
【０００１】
本発明は、画像データ記憶システムに関し、特に、携帯電話端末等の端末装置で撮影された動画、静止画、又はインターネット等からダウンロードした画像等を記憶するシステムに関する。
【背景技術】
【０００２】
従来、携帯電話端末等に搭載されている記憶装置に、この携帯電話端末に搭載されているカメラで撮影した動画や静止画、インターネット等からダウンロードした画像等を保存することができる。しかしながら、これらの画像データは、他のデータと記憶装置を共有するため、記憶装置に保存可能な画像の容量は、この記憶装置の最大容量より少なくなるおそれがあった。
【０００３】
そこで、携帯端末装置に搭載されている記憶装置ではなく、通信システムを介して送信した画像データを、外部の記憶装置に保存する方法も用いられている。
【０００４】
しかし、上記のような外部の記憶装置からデータをアップロード又はダウンロードする際には、画像をＪＰＥＧ、ＧＩＦ等の標準的な圧縮方式で圧縮しているため、画像のデータ量が多い場合には、通信時間が長くなり、これに伴って通信費用が高騰する。
【０００５】
このような問題を解決するために、例えば、特許文献１には、サーバ装置に保存されている画像データを携帯端末装置側にダウンロードする際に、画像データのヘッダ情報や属性情報から、必要最低限の枚数の画像データをダウンロードする方法が提案されている。また、特許文献２には、画像の画素数を間引いたり、色数を低減することなどにより、取り扱う画像そのものを加工してデータ量を少なくする方法が提案されている。
【特許文献１】特開２００４−９４８５３号公報
【特許文献２】特開２００３−３１９０３４号公報
【発明の開示】
【発明が解決しようとする課題】
【０００６】
しかし、上記特許文献１に記載の、必要最低限の画像データをサーバからダウンロードする方法では新規に登録された画像データをダウンロードする際には、通信時間や通信費用を削減することができないという問題があった。
【０００７】
また、特許文献２に記載の、取り扱う画像そのものを加工する方法では、通信時間や通信費用を削減することはできるが、圧縮後のデータを再度圧縮前の画像品質に戻すことができないという問題があった。
【０００８】
そこで、本発明は、上記従来の技術における問題点に鑑みてなされたものであって、特別な外部記憶装置等が不要で、画像データを大量かつ安全に保存することができ、通信時間及び通信費用を削減することが可能で、画像品質を低下させることもない画像データ記憶システムを提供することを目的とする。
【課題を解決するための手段】
【０００９】
上記目的を達成するため、本発明は、携帯端末装置と、該携帯端末装置から受信した画像を記憶するサーバ装置とで構成される画像データ記憶システムであって、前記サーバ装置は、前記携帯端末装置に複数の基本画像及び該複数の基本画像を特定するデータからなる基本画像データ群を送信し、前記携帯端末装置は、該基本画像データ群を記憶し、該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信し、該サーバ装置は、該最小差分画像及び該最小差分画像を生成する際に用いられた基本画像を特定するデータを記憶することを特徴とする。
【００１０】
そして、本発明によれば、携帯端末装置に保存された画像と前記複数の基本画像とを差分して得られた差分画像の中から、最もデータ量の小さい最小差分画像と、該最小差分画像を生成する際に用いられた基本画像を特定するデータとをサーバ装置に記憶するようにしたため、特別な外部記憶装置等を必要とせず、画像品質の低下を招くこともなく、画像データを大量かつ安全に保存することが可能となる。これによって、通信時間及び通信費用を削減することが可能となる。
【００１１】
前記画像データ記憶システムにおいて、前記サーバ装置は、記憶した前記最小差分画像及び該最小差分画像を生成する際に用いられた基本画像を特定するデータを前記携帯端末装置に送信し、該携帯端末装置は、前記サーバ装置から受信した最小差分画像と、前記基本画像を特定するデータを特定するデータに対応する基本画像とを合成して合成画像を生成し、該合成画像を表示することができる。これによって、画像を携帯端末装置に保存しなくとも、必要な場合には、サーバ装置から簡単かつ短時間で画像データを取得し、携帯端末装置に表示することができる。また、この際、取得する画像の品質を低下させることもない。
【００１２】
前記画像データ記憶システムにおいて、前記携帯端末装置以外の携帯端末装置であって、前記サーバ装置と通信可能な携帯端末装置においても、前記サーバ装置から受信した前記最小差分画像及び前記基本画像を特定するデータに対応する基本画像から合成画像を生成し、該合成画像を表示可能とすることができる。これによって、画像をサーバに記憶させた携帯端末装置以外の携帯端末装置においても、必要な場合にサーバ装置から簡単かつ短時間で画像データを取得し、表示することができる。
【００１３】
また、本発明は、携帯端末装置から受信した画像を記憶するサーバ装置であって、前記携帯端末装置に複数の基本画像及び該複数の基本画像を特定するデータからなる基本画像データ群を送信し、前記携帯端末装置において検出した、該携帯端末装置に保存された画像と前記複数の基本画像とを差分して差分画像を生成した際に最もデータ量の小さい最小差分画像と、該最小差分画像を生成する際に用いられた基本画像を特定するデータとを受信し、該最小差分画像及び該最小差分画像を生成する際に用いられた基本画像を特定するデータを記憶することを特徴とする。
【００１４】
このサーバによれば、携帯端末装置に保存された画像と前記複数の基本画像とを差分して得られた差分画像の中から、最もデータ量の小さい最小差分画像と、該最小差分画像を生成する際に用いられた基本画像を特定するデータのみを記憶するようにしたため、特別な外部記憶装置等を必要とせず、画像の品質を低下させずに、画像データを大量かつ安全に保存することが可能となる。
【００１５】
前記サーバは、前記携帯端末装置において検出した、該携帯端末装置に保存された画像と前記複数の基本画像とを差分して差分画像から新たに基本画像を生成することをができる。これによって、携帯端末装置に最適な基本画像を記憶しておくことができ、最小差分画像のデータ量をより少なくすることができ、通信時間及び通信費用をさらに削減することができる。
【００１６】
前記サーバは、前記携帯端末装置の各々に異なる基本画像を含む基本画像データ群を送信することができる。これによって、携帯端末装置の利用者に対応した最適な基本画像を提供することができ、利用者毎に最小差分画像のデータ量をより少なくすることができ、通信時間及び通信費用をさらに削減することができる。
【００１７】
前記サーバは、複数の携帯端末間で、前記最小差分画像を前記サーバ装置から送受信する場合における前記複数の携帯端末間毎のＩＤ、パスワード、又はアドレスを管理することができる。これによって、複数の携帯端末の利用者からなるグループ毎のサーバの利用を可能とすることができる。
【００１８】
さらに、本発明は、携帯端末装置であって、サーバ装置から送信された複数の基本画像及び該複数の基本画像を特定するデータからなる基本画像データ群を記憶し、該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信することを特徴とする。
【００１９】
これによって、最小差分画像と、該最小差分画像を生成する際に用いられた基本画像を特定するデータとをサーバ装置に記憶することができるため、特別な外部記憶装置等を必要とせず、画像の品質を維持しながら、画像データを大量かつ安全に保存することが可能となり、通信時間及び通信費用の削減に繋がる。
【００２０】
前記携帯端末装置において、前記サーバ装置から受信した最小差分画像及び該最小差分画像を生成する際に用いられた基本画像を特定するデータとに基づいて、前記最小差分画像と、前記データによって特定される基本画像とを合成して合成画像を生成し、該合成画像を表示することができる。これによって、画像を携帯端末装置に保存しなくとも、必要な場合には、サーバ装置から簡単かつ短時間で画像データを取得し、高品質の画像を携帯端末装置に表示することができる。
【００２１】
また、本発明は、携帯端末装置から受信した画像を記憶するサーバ装置を制御するためのプログラムであって、前記携帯端末装置に複数の基本画像及び該複数の基本画像を特定するデータからなる基本画像データ群を送信するステップと、前記携帯端末装置において検出した、該携帯端末装置に保存された画像と前記複数の基本画像とを差分して差分画像を生成した際に最もデータ量の小さい最小差分画像と、該最小差分画像を生成する際に用いられた基本画像を特定するデータとを受信するステップと、該最小差分画像及び該最小差分画像を生成する際に用いられた基本画像を特定するデータを記憶するステップとを備えることを特徴とする。このプログラムを用いることにより、上述のように、特別な外部記憶装置等を必要とせず、高品質の画像データを大量かつ安全にサーバ装置に保存することが可能となる。
【００２２】
さらに、本発明は、携帯端末装置を制御するためのプログラムであって、サーバ装置から送信された複数の基本画像及び該複数の基本画像を特定するデータからなる基本画像データ群を記憶するステップと、該携帯端末装置に保存された画像と前記複数の基本画像とを差分して差分画像を生成し、該差分画像の中から最もデータ量の小さい最小差分画像と、該最小差分画像を生成する際に用いられた基本画像を特定するデータとを検出し、該最小差分画像及び該基本画像を特定するデータとを前記サーバ装置に送信するステップとを備えることを特徴とする。このプログラムを用いることにより、上述のように、特別な外部記憶装置等を必要とせず、画像データを大量かつ安全にサーバ装置に保存し、必要に応じて、高品質の画像を携帯端末装置に表示することができる。
【発明の効果】
【００２３】
以上のように、本発明によれば、特別な外部記憶装置を必要とせず、画像品質の低下を招くこともなく、画像等のデータを大量かつ安全に保存することができ、通信時間及び通信費用を削減することが可能となる。
【発明を実施するための最良の形態】
【００２４】
次に、本発明の実施の形態について図面を参照しながら説明する。尚、以下の説明においては、本発明を適用する携帯端末装置が携帯電話端末である場合を例にとって説明する。
【００２５】
図１に示すように、本発明にかかる画像データ記憶システムは、大別して、画像データを受信して保存するサーバ装置（以下「サーバ」という）２と、サーバ２に画像データを圧縮して送信する携帯電話端末１とで構成される。
【００２６】
携帯電話端末１は、複数の基本画像からなる基本画像データ群を記憶する領域１４と、保存画像１１と領域１４に記憶されている基本画像から差分画像１３ａを生成する保存画像エンコーダ部１２と、生成した差分画像と基本画像番号とを記憶する領域１３ｂと、差分画像と基本画像番号をサーバ１に転送する通信制御部１９と、受信した差分画像と基本画像番号から基本画像の合成画像を生成する受信画像デコーダ部１７と、合成画像を記憶する領域１６と、合成画像を表示する画面表示部１５とで構成される。
【００２７】
サーバ２は、複数の基本画像からなる基本画像データ群の記憶領域２２と、携帯電話端末から送られた基本画像番号や最小差分画像の記憶領域２３と、その最小差分画像から新たな基本画像を生成する基本画像生成部２４と、携帯電話端末１から送信された基本画像番号や最小差分画像を記憶する領域を制御するデータフォルダ制御部２６と、携帯電話端末１と通信を行う通信制御部２１とで構成される。
【００２８】
次に、本発明にかかる画像データ記憶システムの動作について、図１及び図２を中心に参照しながら説明する。
【００２９】
まず、携帯電話端末１は、サーバ２を利用するにあたり、予めサービス登録を行う（ステップＳ１）。携帯電話端末１からサービス登録要求を受けたサーバ２は、携帯電話端末１において差分画像１３ａを生成するために必要となる、複数の基本画像からなる基本画像データ群２２を携帯電話端末１に転送する。この基本画像データ群２２を受信した携帯電話端末１は、専用の記憶領域１４にデータ群を保存する（ステップＳ２）。
【００３０】
携帯電話端末１で差分画像１３ｂをサーバ２にアップロードする際には、携帯電話端末１は、記憶している基本画像データ群１４の基本画像と保存画像との差分画像１３ａを生成する（ステップＳ３）。複数の基本画像と比較した結果（ステップＳ４）、最も小さな差分画像を最小差分画像１３ｂとし、その比較した基本画像の番号とともに、最小差分画像１３ｂをサーバ２にアップロードする。サーバ２は、携帯電話端末１より基本画像番号と最小差分画像を受信すると、ユーザ毎に管理している保存領域２７に基本画像番号と最小差分画像を保存する（ステップＳ５）。
【００３１】
図３は、本発明の基本画像の一例を示す。携帯電話端末１で撮影する画像は、中間色に分布する特性があるため、その中間色の中間値の集合を基本画像とする。携帯電話端末１は、この基本画像を複数種記憶することで、撮影された画像を最適に圧縮する基本画像を選択することができる。
【００３２】
差分画像の生成は、図３（ａ）に示すような８ビット階調度数分布のときに、Ｒ，Ｇ，Ｂの各々の中間値（Ｒｃ，Ｇｃ，Ｂｃ）とする基本画像から、保存画像の（Ｒ，Ｇ，Ｂ）の差分をとると、図３（ｂ）に示すような符号付き７ビットのＲＧＢデータ（Ｒｄ，Ｇｄ，Ｂｄ）が生成される。画素あたりのＲＧＢデータで構成される差分画像ＲＧＢデータ群に、基本画像番号と差分画像ヘッダを付与して図３（ｃ）に示す差分画像データとし、サーバ２にアップロードする。アップロードの際に生成した、図３（ｃ）に示す差分画像データを従来の圧縮技術を使用してさらに圧縮することもできる。
【００３３】
携帯電話端末１で差分画像をサーバ２よりダウンロードする際には、図２に示すように、携帯電話端末１は、サーバ２に画像ダウンロード要求を送信する。画像ダウンロード要求を受信したサーバ２は、ユーザに対応した基本画像番号と、最小差分画像をデータフォルダ制御部２６が管理している保存領域２７から読み出し（ステップＳ６）、携帯電話端末１にダウンロードする。基本画像番号と最小差分画像とを受信した携帯電話端末１は、受信画像デコーダ部１７で記憶している基本画像１４と最小差分画像１８から合成画像１６を生成し（ステップＳ７）、画面表示部１５で表示する（ステップＳ８）。
【００３４】
図４は、本発明の差分画像から合成画像を生成する一例を示す。図１の受信画像デコーダ部１７では、受信した最小差分画像を基本画像の階調度に合わせるため、差分画像ＲＧＢデータのＲＧＢデータ（Ｒｄ，Ｇｄ，Ｂｄ）の符号ビットと、ＲＧＢデータとの間に０を埋め込み、基本画像の対応する画素の中間値（Ｒｃ，Ｇｃ，Ｂｃ）に、ＲＧＢデータ（Ｒｄ，Ｇｄ，Ｂｄ）を各々加算することで合成画像を生成する。
【００３５】
図５は、本発明における基本画像の最適化を行う動作を示す。上述のように携帯電話端末１は、基本画像データ群を保存した（ステップＳ２１）後、基本画像と保存画像との差分画像を生成し（ステップＳ２２）、複数の基本画像と比較した結果、最も小さな差分画像を最小差分画像とし（ステップＳ２３）、その比較した基本画像の番号とともに、最小差分画像をサーバ２にアップロードする。
【００３６】
携帯電話端末１より基本画像番号と最小差分画像がアップロードされると（ステップＳ２４）、図１のサーバ２の基本画像生成部２４は、最小差分画像の容量が予め設定した値を超えた場合、圧縮効率が悪いと判断し、アップロードされた最小差分画像から新たな基本画像を生成して保存する（ステップＳ２５）。また、サーバ２は、ユーザが撮影する画像を統計的に解析し、最小差分画像からユーザに最適な基本画像を生成することもできる。
【００３７】
ユーザは、基本画像を更新したい場合には、サーバ２に基本画像更新要求を送信する（ステップＳ２６）。基本画像更新要求を受信したサーバ２は、生成した新たな基本画像を携帯電話端末１にダウンロードする。基本画像データ群をダウンロードした携帯電話端末１は、新たな基本画像として基本画像データ群の記憶領域１４に追加することで、最適な基本画像を更新することができる（ステップＳ２７）。
【００３８】
図６は、本発明にかかる画像データ記憶システムをグループで使用する場合の構成を示す。図１の構成に加え、グループでサーバ２のサービスを利用するため、グループ登録要求、グループＩＤ及びパスワードの認証や、アップロード通知要求を処理するグループ要求処理部３１と、アップロードされたことを通知するアップロード通知部３２と、グループＩＤ及びパスワードや、アップロードの通知先メールアドレスを記憶するグループ管理データベース３３とを備える。
【００３９】
図７は、サーバ２を上記グループで利用する場合の動作を示す。グループでサーバ２を利用するにあたり、代表者がグループサービス登録を行う（ステップＳ３１）。代表者の携帯電話端末１からグループサービス登録要求を受けたサーバ２は、グループＩＤとパスワードを代表者の携帯電話端末に表示（通知）する。代表者は、前記グループＩＤとパスワードを使って、再度サーバ２にログインして携帯メールアドレスを登録すると、サーバ２はそのメールアドレスを保存した（ステップＳ３２）後、グループ共通の基本画像データ群２２を携帯電話端末１に転送する。
【００４０】
代表者は、その基本画像データ群２２を保存した（ステップＳ３３）後、グループのメンバーにグループＩＤとパスワードを通知する。これにより、グループのメンバーも、グループＩＤとパスワードでサーバにログインして携帯メールアドレスを登録すると、サーバ２は、そのメールアドレスを保存した（ステップＳ３４）後、グループ共通の基本画像データ群２２を携帯電話端末１に転送し、グループのメンバーも、その基本画像データ群２２を保存する（ステップＳ３５）する。
【００４１】
グループメンバーが画像データをサーバ２にアップロードした際、他のメンバーに対して画像データがアップロードしたことを通知するときは、アップロード通知要求をサーバ２側に発行する。アップロード通知要求を受けたサーバ２は、グループ管理データベース３３に登録されているメールアドレスに対してアップロード通知を送信する（ステップＳ３６）。通知を受けたメンバーは、メールに記載されているＵＲＬにアクセスし、サーバ２から差分画像と基本画像番号をダウンロードする。
【００４２】
ユーザが本発明のサーバ２の利用を解約する場合には、図２に示すように、携帯電話端末１からサーバ２に対し、サービス解約要求を送信する。サービス解約要求を受信したサーバは、対応するユーザの保存データを削除し（ステップＳ９）、携帯電話端末に対してサービス解約通知を送信する。サービス解約通知を受信した携帯電話端末１では、記憶していた複数の基本画像より構成される基本画像データ群１４を削除する（ステップＳ１０）。
【００４３】
尚、上記実施の形態においては、本発明にかかる画像データ記憶システムを携帯電話端末１に適用した場合について説明したが、携帯電話端末１以外にも、サーバ２と通信可能なＰＤＡ等にも本発明を適用することができる。
【図面の簡単な説明】
【００４４】
【図１】本発明にかかる画像データ記憶システムの一実施の形態における携帯電話端末とサーバの構成例を示すブロック図である。
【図２】図１の画像データ記憶システムの携帯電話端末とサーバの動作例を示すシーケンス図である。
【図３】図１の画像データ記憶システムの携帯電話端末とサーバで保持する基本画像及び差分画像の説明図である。
【図４】図１の画像データ記憶システムの携帯電話端末で生成される合成画像の説明図である。
【図５】図１の画像データ記憶システムのサーバの基本画像を最適化する動作を示すシーケンス図である。
【図６】本発明にかかる画像データ記憶システムのサーバをグループで利用する際の構成例を示すブロック図である。
【図７】図６のサーバをグループで利用する際の動作例を示すシーケンス図である。
【符号の説明】
【００４５】
１  携帯電話端末
２  サーバ
１１  保存画像
１２  保存画像エンコーダ部
１３ａ  差分画像
１３ｂ  （差分画像と基本画像番号の）記憶領域
１４  （基本画像データ群の）記憶領域
１５  画面表示部
１６  合成画像
１７  受信画像デコーダ部
１８  基本画像番号と最小差分画像
１９  通信制御部
２１  通信制御部
２２  （基本画像データ群の）記憶領域
２３  （基本画像番号や最小差分画像の）記憶領域
２４  基本画像生成部
２５  基本画像番号と最小差分画像
２６  データフォルダ制御部
２７  （基本画像番号と最小差分画像の）保存領域
３１  グループ要求処理部
３２  アップロード通知部
３３  グループ管理データベース
【図１】
2007274259.tif 000003
【図２】
2007274259.tif 000004
【図３】
2007274259.tif 000005
【図４】
2007274259.tif 000006
【図５】
2007274259.tif 000007
【図６】
2007274259.tif 000008
【図７】
2007274259.tif 000009